(57)【要約】【課題】かご位置表示装置が故障した場合にも、エレベーターの運転を継続できるようにする。【解決手段】本発明のエレベーター装置は、乗りかご内に設けられたかご位置表示装置の故障発生の有無を監視するとともに、かご位置表示装置の故障を検出した場合に、かご位置表示装置に表示する情報の少なくとも一部を、行先階案内装置に代替表示させる制御を行う故障検出表示切替部を備える。【選択図】図３
2019001620.tif 000002
【特許請求の範囲】
【請求項１】
建物内に形成された昇降路内を昇降する乗りかごと、前記乗りかご内に設けられ、前記昇降路内における乗りかごの位置に関する情報を表示するかご位置表示装置と、前記乗りかご内に設けられ、乗客によって登録された行先階に関する情報を表示する行先階案内装置とを有するエレベーター装置において、
前記かご位置表示装置の故障発生の有無を監視するとともに、前記位置表示装置の故障を検出した場合に、前記かご位置表示装置に表示する情報の少なくとも一部を、前記行先階案内装置に代替表示させる制御を行う故障検出表示切替部を備えたことを特徴とする
エレベーター装置。
【請求項２】
前記故障検出表示切替部は、前記行先階案内装置に表示する行先階の数の多さに応じて、前記かご位置表示装置に表示する情報の一部を表示する簡易表示と、前記かご位置表示装置に表示する情報のすべてを表示する通常表示とを切り替える
請求項１に記載のエレベーター装置。
【請求項３】
前記故障検出表示切替部は、前記簡易表示の選択時に、前記かご位置表示装置に表示する情報のうち、前記乗りかごのかご位置のみを前記行先階案内装置に代替表示させる
請求項２に記載のエレベーター装置。
【請求項４】
前記簡易表示又は前記通常表示を前記故障検出表示切替部が選択する場合の選択条件である、前記行先階案内装置に表示する行先階の数は、ユーザーによって任意に設定される
請求項２又は３のいずれか一項に記載のエレベーター装置。
【請求項５】
建物内に形成された昇降路内を昇降する乗りかごと、前記乗りかご内に設けられ、前記昇降路内における前記乗りかごの位置に関する情報を表示するかご位置表示装置と、前記乗りかご内に設けられ、乗客によって登録された行先階に関する情報を表示する行先階案内装置とを有するエレベーター装置の表示切替制御方法において、
前記かご位置表示装置の故障発生の有無を監視することと、
前記かご位置表示装置の故障を検出した場合に、前記かご位置表示装置に表示する情報の少なくとも一部を、前記行先階案内装置に代替表示させる制御を行うことと、を含む
エレベーター装置の表示切替制御方法。
【発明の詳細な説明】
【技術分野】
【０００１】
本発明は、エレベーター装置及びエレベーター装置の表示切替制御方法に関する。
【背景技術】
【０００２】
従来、エレベーターの乗りかご内には、乗りかごが停止中又は通過中の階床（以下、「かご位置」とも称する）や乗りかごの運転（走行）方向等を表示する、液晶モニタ等よりなるかご位置表示装置が設けられている。乗りかご内の乗客は、このかご位置表示装置に表示されている情報を目視することにより、自分に必要な情報を取得する。しかしながら、例えば、かご位置表示装置が故障した場合には、かご位置表示装置の画面に何も情報が表示されなくなってしまう。
【０００３】
ここで、図７を参照して、故障前後におけるかご位置表示装置の画面の例について説明する。図７は、故障前と故障後におけるかご位置表示装置の画面の例を示す説明図である。図７の左側には、故障が起きていない正常時におけるかご位置表示装置４０の画面の例を示し、図７の右側には、故障が起きた場合におけるかご位置表示装置４０の画面の例を示す。
【０００４】
正常時には、図７の左側に示すように、かご位置表示装置４０の画面には、上向きの矢印で示された乗りかごの運転方向４０ａと、“１”と示された乗りかごのかご位置４０ｂとが表示される。乗りかご内の乗客は、かご位置表示装置４０の画面に表示されたこれらの情報を目視することにより、自分が乗車中の乗りかごが現在１階に停止中であり、乗りかごは上昇運転する、という情報を得ることができる。
【０００５】
かご位置表示装置４０の故障時には、図７の右側に示すように、かご位置表示装置４０の画面が暗転し、画面上に何も表示されなくなる。この場合、乗りかご内の乗客は、かご位置や乗りかごの運転方向等の情報を得ることができない。また、かご位置表示装置４０が故障して表示ができなくなると、かご位置表示装置４０の修理又は交換等を行う必要が生じる。そして、かご位置表示装置４０の修理又は交換等が完了するまでの間は、エレベーターの運転を停止しなければならない。
【０００６】
特許文献１には、液晶ディスプレイを含むタッチパネルを備えたエレベーターの呼び登録装置において、タッチパネルの画面を第１の表示面と第２の表示面とに分割することにより、一方の表示面の故障時にも他方の表示面を代用可能な技術が記載されている。
特許文献１に記載の技術は、タッチパネルに対して特定の操作があったときに、第１又は第２の表示面に表示されていた操作ボタンを他方の表示面に表示すると共に、その他方の表示面に操作ボタンの入力検出領域を再設定する。このような処理が行われることにより、タッチパネルの第１又は第２の表示面のいずれか一方が故障した場合にも、タッチパネルに対して所定の操作を行うだけで、故障していない側の表示面に、故障した側の表示面に表示されていた操作ボタンが表示される。さらに、故障していない側の表示面の入出力領域が再設定されることにより、表示面が使用可能となる。
【０００７】
したがって、特許文献１に記載の技術によれば、エレベーターの呼び登録装置のタッチパネルを構成する２つの画面のうちの一方の画面が故障した場合にも、部品交換を行う必要がないため、エレベーターの運転を長く休止させずに済む。
【先行技術文献】
【特許文献】
【０００８】
【特許文献１】特開２０１４−５１３８７号公報
【発明の概要】
【発明が解決しようとする課題】
【０００９】
しかしながら、例えば、特許文献１に記載の技術では、タッチパネルの一部の表示面ではなくタッチパネル自体が故障してしまった場合には、交換部品の手配を行う必要があり、部品の交換が完了するまでの間は、エレベーターの運転を継続することが難しくなる。
【００１０】
本発明は、上記課題を解決するためになされたものであり、本発明の目的は、かご位置表示装置が故障した場合にも、エレベーターの運転を継続できるようにすることにある。
【課題を解決するための手段】
【００１１】
上記課題を解決するために、本発明のエレベーター装置は、建物内に形成された昇降路内を昇降する乗りかごと、乗りかご内に設けられたかご位置表示装置及び行先階案内装置を有する。かご位置表示装置は、昇降路内における乗りかごの位置に関する情報を表示する。行先階案内装置は、乗客によって登録された行先階に関する情報を表示する。また、本発明のエレベーター装置は、故障検出表示切替部を備える。かご制御部は、かご位置表示装置の故障発生の有無を監視するとともに、かご位置表示装置の故障を検出した場合に、かご位置表示装置に表示する情報の少なくとも一部を、行先階案内装置に代替表示させる制御を行う。
【００１２】
本発明のエレベーター装置の表示制御方法は、建物内に形成された昇降路内を昇降する乗りかごと、乗りかご内に設けられたかご位置表示装置及び階案内装置を有するエレベーター装置の表示制御方法であり、次の手順で行われる。まず、かご位置表示装置の故障発生の有無を監視する。次いで、かご位置表示装置の故障を検出した場合に、かご位置表示装置に表示する情報の少なくとも一部を、行先階案内装置に代替表示させる制御を行う。
【発明の効果】
【００１３】
本発明のエレベーター装置及びエレベーター装置の表示制御方法によれば、かご位置表示装置の故障の検出時に、かご位置表示装置に表示される情報の少なくとも一部が、行先階案内装置に代替表示される。したがって、かご位置表示装置が故障しても、エレベーター装置の運転を継続して行うことができる。
【図面の簡単な説明】
【００１４】
【図１】本発明の一実施形態に係るエレベーター装置の乗りかご内の構成例を示す説明図である。
【図２】本発明の一実施形態に係るエレベーター装置の制御系の構成を示す説明図である。
【図３】本発明の一実施形態に係る故障検出表示切替部の表示切替制御の概要を示す説明図である。
【図４】本発明の一実施形態に係る行先階案内装置における代替表示の例を示す説明図である。
【図５】本発明の一実施形態に係るエレベーター装置の表示切替制御方法の手順を示すフローチャートである。
【図６】変形例に係る行先階案内装置における代替表示の例を示す説明図である。
【図７】従来の故障前及び故障後におけるかご位置表示装置の画面の例を示す説明図である。
【発明を実施するための形態】
【００１５】
以下に、本発明の一実施形態に係るエレベーター装置及びエレベーター装置の表示切替制御手法の内容について、図面を参照して具体的に説明する。
【００１６】
［エレベーター装置の乗りかご内の構成］
図１は、本実施形態に係るエレベーター装置の乗りかご１内の構成例を示す構成図である。図１に示す乗りかご１は、不図示の建物内に形成された昇降路内に配置され、昇降路内を昇降する。図１に示すように、乗りかご１は、かご戸２と、かご戸２の両側に設けられた側板２Ｌ及び２Ｒを有する。かご戸２の左側の側板２Ｌには、押しボタン式の行先階登録装置３と、ＣＰＩ（Car Position Indicator）として構成された液晶モニタを使用したかご位置表示装置４とが設けられる。行先階登録装置３及びかご位置表示装置４は一体に形成される。
【００１７】
かご位置表示装置４には、昇降路内における乗りかご１の位置に関する情報が表示される。図１に示す例では、かご位置表示装置４の画面には、黒色の上向きの矢印で示される乗りかご１の運転方向４ａと、数字（図１に示す例では“１”）で示されるかご位置４ｂとが表示されている。
【００１８】
かご戸２の右側の側板２Ｒの側面には、ＣＰＩとして構成された液晶モニタを使用した行先階案内装置５が設置されている。行先階案内装置５には、乗りかご１に乗り込む前に乗客６によって予め登録された、乗客６の行先階が表示される。図１に示す例では、行先階案内装置５には、乗りかご１内の乗客６の行先階である“１２”，“７”，“５”及び“３”（階）が表示されている。乗りかご１内の乗客６は、かご位置表示装置４及び行先階案内装置５に表示される情報を目視することにより、必要な情報を得ることができる。なお、かご位置表示装置４及び行先階案内装置５の動作の制御は、乗りかご１の天井裏等に配置された器具ボックス１１内に設置されたかご制御部１２（図３参照）によって行われる。
【００１９】
［エレベーター装置の制御系の構成］
図２は、本実施形態に係るエレベーター装置１００の制御系の構成例を示す説明図である。本実施形態に係るエレベーター装置１００は、エレベーター制御装置９、及び、器具ボックス１１内に設けられたかご制御部１２を備える。エレベーター制御装置９は、故障検出表示切替部１０を有する。故障検出表示切替部１０とかご制御部１２とは、白抜きの矢印で示す制御線及び情報線を介して接続される。
【００２０】
また、かご制御部１２は、かご位置表示装置４及び行先階案内装置５とも、黒線の矢印で示される制御線及び情報線を介して接続される。かご制御部１２、かご位置表示装置４及び行先階案内装置５は、この順（図２に示す順）に直列に接続されている。そして、かご制御部１２から行先階案内装置５に送信される信号は、かご位置表示装置４を経由して行先階案内装置５に送信される。また、かご制御部１２からかご位置表示装置４に送信される信号は、行先階案内装置５にも送信される。さらに、かご位置表示装置４からかご制御部１２に送信される信号も、行先階案内装置５にも送信される。つまり、行先階案内装置５は、自装置宛の信号だけでなく、かご制御部１２及びかご位置表示装置４間で送受信される信号も受信する。
【００２１】
エレベーター制御装置９は、例えばＣＰＵ（Central Processing Unit）等よりなり、乗りかご１（図１参照）を含むエレベーター装置全体の動作を制御する。エレベーター制御装置９の故障検出表示切替部１０は、かご位置表示装置４の異常監視を行う。具体的には、故障検出表示切替部１０は、かご制御部１２から送信されるエラー情報信号や、行先階案内装置５における信号の受信状況等に基づいて、かご位置表示装置４の異常発生の有無を判断する。また、故障検出表示切替部１０は、かご位置表示装置４の故障を検出した場合、かご位置表示装置４に表示する情報の少なくとも一部を、行先階案内装置５の画面の一部の領域に代替表示する制御を行う。
【００２２】
かご制御部１２は、例えばＣＰＵ等よりなり、エレベーター制御装置９の制御に基づいて、かご位置表示装置４及び行先階案内装置５を含む、乗りかご１を構成する各部の動作を制御する。例えば、かご制御部１２は、かご位置表示装置４及び行先階案内装置５に対して、制御信号や、各装置の表示画面に表示する情報（データ）等を送信する処理を行う。また、かご制御部１２は、かご位置表示装置４及び／又は行先階案内装置５から、自装置の異常の発生を知らせるエラー情報を受信した場合に、このエラー情報に関する信号（以下、「エラー情報信号」と称する）をエレベーター制御装置９の故障検出表示切替部１０に送信する。
【００２３】
［故障検出表示切替部による表示切替制御の概要］
図３は、故障検出表示切替部１０による表示切替制御の概要を示す説明図であり、図４は、行先階案内装置５の画面において行われる代替表示の例を示す説明図である。
【００２４】
かご位置表示装置４が故障しておらず正常である場合における行先階案内装置５の表示例を、図３の左側に示す。かご位置表示装置４が正常である場合、行先階案内装置５の行先階表示部７Ａには、乗りかご１の乗客６（図１参照）によって予め登録された行先階が表示される。図３の左側に示す例では、乗客６の行先階が“１２”，“７”，“５”及び“３”（階）であることが示されている。また、行先階表示部７Ａの上方に形成される運転方向表示部８Ａには、上向きの矢印で示される乗りかご１の運転方向４ａが示されている。
【００２５】
かご位置表示装置４に故障が発生した場合、行先階案内装置５に表示される内容は、故障検出表示切替部１０によって、図３の右側に示す内容に切り替えられる。行先階案内装置５の行先階表示部７Ｂでの表示内容は、かご位置表示装置４の平常時と同様であるが、運転方向表示部８Ｂの表示内容は、かご位置表示装置４で表示されていた内容に切り替えられる。図３の右側に示す例では、運転方向表示部８Ｂに、上向きの矢印で示される乗りかご１の運転方向４ａと、“１”の数字で示される乗りかご１のかご位置４ｂとが表示されている。
【００２６】
故障検出表示切替部１０によってこのような表示切替制御が行われることにより、かご位置表示装置４が故障した場合にも、かご位置表示装置４で表示されていた情報が、行先階案内装置５の運転方向表示部８Ｂに代替表示される。したがって、故障したかご位置表示装置４の交換が完了するまでの間も、エレベーター装置１００の稼働を継続することができ、エレベーター装置１００の利用者に不便をかけることがない。
【００２７】
また、本実施形態では、故障検出表示切替部１０が、かご位置表示装置４の故障時における行先階案内装置５での代替表示を、簡易表示と通常表示とで切り替えることもできる。簡易表示では、故障検出表示切替部１０は、かご位置表示装置４において表示されていた、乗りかご１のかご位置４ｂのみを、行先階案内装置５の運転方向表示部８Ｂに表示させる。通常表示切替では、故障検出表示切替部１０は、かご位置表示装置４において表示されていた、乗りかご１の運転方向４ａ及びかご位置４ｂの両方を、行先階案内装置５の運転方向表示部８Ｂに表示させる。
【００２８】
図４Ａに、通常表示選択時における行先階案内装置５の表示例を示し、図４Ｂに、簡易表示選択時における行先階案内装置５の表示例を示す。図４Ａに示す例では、行先階案内装置５の行先階表示部７Ｂに表示されている行先階の数は、“１２”，“７”，“５”及び“３”（階）の４つである。このように、行先階案内装置５の行先階表示部７Ｂに表示されている行先階の数が少ない場合、故障検出表示切替部１０は、通常表示への切替を選択する。つまり、故障検出表示切替部１０は、行先階案内装置５の運転方向表示部８Ｂに、乗りかご１の運転方向４ａ及びかご位置４ｂを両方表示させる。
【００２９】
図４Ｂに示す例では、行先階案内装置５の行先階表示部７Ｂに表示されている行先階の数は、“１４”，“１３”，“１２Ａ”，“１２”，“１１”，“１０”及び“９”（階）の７つである。このように、行先階案内装置５の行先階表示部７Ｂに表示されている行先階の数が多い場合、故障検出表示切替部１０は、簡易表示への切替を選択する。つまり、行先階案内装置５の運転方向表示部８Ｂに、乗りかご１のかご位置４ｂのみを表示させる。
【００３０】
このとき、故障検出表示切替部１０は、行先階表示部７Ｂの表示領域の上下方向の大きさを縮小する縮小モードを自動的に選択する。これにより、行先階表示部７Ｂの表示領域の上下方向の大きさが小さくなるため、相対的に、行先階が表示される行先階表示部７Ｂの表示領域の上下方向の大きさが大きくなる。したがって、乗客６によって登録された行先階の数が多い場合にも、行先階表示部７Ａでの行先階の表示と、かご位置表示装置４で表示されるべきかご位置４ｂの運転方向表示部８Ａでの代替表示とが、両立される。
【００３１】
故障検出表示切替部１０は、このような表示切替制御を行うことにより、乗客６により登録される行先階の数が多くなる運用が見込まれる、例えば高層階のビルに設置されるエレベーターにおいても、乗客に対して、きめの細かな情報表示を行うことができる。
【００３２】
［エレベーター装置の表示切替制御方法の手順］
図５は、本実施形態に係るエレベーター装置１００の表示切替制御方法の手順を示すフローチャートである。
【００３３】
まず、エレベーター制御装置９の故障検出表示切替部１０は、行先階案内装置５での信号の受信状況に基づいて、かご制御部１２が一定期間に渡って信号を受信していないか否かを判定する（ステップＳ１）。ステップＳ１で、信号を受信したと判定された場合（ステップＳ１のＹＥＳ）、故障検出表示切替部１０は、行先階案内装置５が受信した信号は、かご位置表示装置４からかご制御部１２宛に送信された信号であるか否かを判定する（ステップＳ２）。
【００３４】
ステップＳ２で、かご位置表示装置４からかご制御部１２宛に送信された信号であると判定された場合（ステップＳ２のＹＥＳ）、故障検出表示切替部１０は、行先階案内装置５が受信した信号はエラー情報信号であるか否かを判定する（ステップＳ３）。エラー情報信号は、かご位置表示装置４で故障が発生した場合に、かご位置表示装置４からかご制御部１２及び行先階案内装置５に対して送信される。
【００３５】
ステップＳ３で、受信した信号はエラー情報信号であると判定された場合（ステップＳ３のＹＥＳ）、故障検出表示切替部１０は、行先階案内装置５がエラー情報信号を連続して受信したか否かを判定する（ステップＳ４）。ステップＳ４で、行先階案内装置５がエラー情報信号を連続して受信したと判定された場合（ステップＳ４のＹＥＳ）、故障検出表示切替部１０は、ＣＰＩフラグをＯＮにする（ステップＳ５）。
【００３６】
ＣＰＩフラグは、かご位置表示装置４の状態を示すフラグであり、“ＯＮ”はかご位置表示装置４が故障状態にあることを示し、“ＯＦＦ”はかご位置表示装置４が正常の状態にあることを示す。つまり、故障検出表示切替部１０は、かご位置表示装置４からかご制御部１２宛に送信されたエラー情報信号を、行先階案内装置５が連続して受信した場合に、かご位置表示装置４が故障したと判断して、ＣＰＩフラグをＯＮにする。ステップＳ５の処理後、故障検出表示切替部１０は、処理をステップＳ１に戻す。
【００３７】
ステップＳ３で、行先階案内装置５がかご位置表示装置４から受信した信号が、エラー情報信号でないと判定された場合（ステップＳ３のＮＯ）、故障検出表示切替部１０は、ＣＰＩフラグをＯＦＦにする（ステップＳ６）。つまり、故障検出表示切替部１０は、かご位置表示装置４からかご制御部１２に送信されて行先階案内装置５で受信された信号が、エラー情報信号以外の信号である場合、かご位置表示装置４に故障は発生していないと判断し、ＣＰＩフラグをＯＦＦにする。
【００３８】
ステップＳ４で、行先階案内装置５がエラー情報信号を連続して受信していないと判定された場合（ステップＳ４のＮＯ）にも、故障検出表示切替部１０は、ステップＳ６の処理を行う。つまり、故障検出表示切替部１０は、行先階案内装置５がエラー情報信号を受信した場合であっても、エラー情報信号の受信がその後行われなかった場合には、かご位置表示装置４に故障は発生していないと判断し、ＣＰＩフラグをＯＦＦにする。
【００３９】
ステップＳ１で、かご制御部１２が信号を受信したと判定された場合（ステップＳ１のＮＯ）、故障検出表示切替部１０は、ＣＰＩフラグをＯＦＦにする（ステップＳ７）。次いで、故障検出表示切替部１０は、行先階案内装置５が受信した信号は、かご制御部１２からかご位置表示装置４宛に送信された信号をか否かを判定する（ステップＳ８）。ステップＳ２で、かご位置表示装置４からかご制御部１２宛に送信された信号でないと判定された場合（ステップＳ２のＮＯ）にも、ステップＳ８の判定が行われる。
【００４０】
ステップＳ８で、行先階案内装置５が受信した信号はかご制御部１２からかご位置表示装置４宛の信号でないと判断された場合（ステップＳ８のＮＯ）、故障検出表示切替部１０はステップＳ１に処理を戻す。一方、ステップＳ８で、行先階案内装置５が受信した信号はかご制御部１２からかご位置表示装置４宛の信号であると判定された場合（ステップＳ８のＹＥＳ）、故障検出表示切替部１０は、ＣＰＩフラグがＯＮであるか否かを判定する（ステップＳ９）。ステップＳ９で、ＣＰＩフラグがＯＮでない、すなわち、ＯＦＦであると判定された場合（ステップＳ９のＮＯ）、故障検出表示切替部１０はステップＳ１に処理を戻す。
【００４１】
ステップＳ９で、ＣＰＩフラグがＯＮであると判定された場合（ステップＳ９のＹＥＳ）、故障検出表示切替部１０は、かご位置表示装置４が故障していると判断し、行先階案内装置５の表示情報が多いか否かを判定する（ステップＳ１０）。行先階案内装置５の表示情報は、行先階案内装置５の行先階表示部７Ｂ（図３参照）に表示される行先階の数の情報である。故障検出表示切替部１０は、行先階表示部７Ｂに表示する行先階の数が予め設定された所定の閾値を超えているか否かに基づいて、行先階案内装置５の表示情報の多さを判断する。
【００４２】
ステップＳ１０で、行先階案内装置５の表示情報が多いと判定された場合（ステップＳ１０のＹＥＳ）、故障検出表示切替部１０は簡易表示を選択し、行先階案内装置５の運転方向表示部８Ｂにかご位置４ｂのみを表示させる（ステップＳ１１）。
【００４３】
一方、ステップＳ１０で、行先階案内装置５の表示情報は多くないと判定された場合（ステップＳ１０のＮＯ）、故障検出表示切替部１０は通常表示切替を選択する。そして、故障検出表示切替部１０は、行先階案内装置５の運転方向表示部８Ｂに乗りかご１の運転方向４ａ及びかご位置４ｂの両方を表示させる（ステップＳ１２）。
【００４４】
また、ステップＳ８で、行先階案内装置５が受信した信号はかご制御部１２からかご位置表示装置４宛の信号でないと判定された場合（ステップＳ８のＮＯ）、故障検出表示切替部１０は、行先階案内装置５で受信された信号がかご制御部１２から行先階案内装置５宛の信号であるか否かを判定する（ステップＳ１３）。ステップＳ１３で、かご制御部１２から行先階案内装置５に送信された信号であると判定された場合（ステップＳ１３のＹＥＳ）、行先階案内装置５は、かご制御部１２から送信された信号に基づいて、行先階表示部７Ｂの表示情報を更新する（ステップＳ１４）。これにより、行先階案内装置５の行先階表示部７Ｂには、乗りかご１の乗客６によって予め登録された行先階の情報が表示される。
【００４５】
ステップＳ１４の処理後、故障検出表示切替部１０は、ステップＳ１に処理を戻す。ステップＳ１３で、行先階案内装置５が受信した信号はかご制御部１２から行先階案内装置５宛に送信された信号でないと判定された場合（ステップＳ１３のＮＯ）にも、故障検出表示切替部１０は、ステップＳ１に処理を戻す。
【００４６】
上述した実施形態では、故障検出表示切替部１０でかご位置表示装置４の故障が検知された場合、故障検出表示切替部１０によって、かご位置表示装置４に表示する情報の少なくとも一部を行先階案内装置５の一部の領域に代替表示させる制御が行われる。かご位置表示装置４に表示する情報の少なくとも一部には、かご位置４ｂのみと、かご位置４ｂ及び運転方向４ａの両方とが含まれる。
【００４７】
つまり、本実施形態によれば、かご位置表示装置４が故障した場合に、かご位置表示装置４に表示する情報の少なくとも一部が行先階案内装置５の運転方向表示部８Ｂに代替表示される。それゆえ、乗客６は、行先階案内装置５の運転方向表示部８Ｂに表示される情報を見ることにより、かご位置表示装置４を目視することによって得ていた情報と同じ情報を得ることができる。
【００４８】
また、本実施形態によれば、かご位置表示装置４の故障時にも、かご位置表示装置４に表示する情報の少なくとも一部の情報が行先階案内装置５に代替表示されるため、故障品の交換が行われるまでの間も、エレベーター装置１００の稼働を継続できる。すなわち、エレベーター装置１００の不稼働時間を無くすことができるため、エレベーターの利用者に不便をかけることを防ぐことができる。
【００４９】
また、上記実施形態によれば、故障品の交換が行われるまでの間も、サービス（エレベーター装置１００の稼働）を継続できるため、故障時のみに使用される専用の表示装置を別途設ける必要がなくなる。
【００５０】
また、本実施形態では、故障検出表示切替部１０は、行先階案内装置５の行先階表示部７Ｂに表示する行先階の数の多さに応じて、簡易表示及び通常表示のいずれか一方を選択する。簡易表示切替の選択時には、行先階案内装置５の運転方向表示部８Ｂに、かご位置表示装置に表示する情報の一部、すなわち、かご位置４ｂのみが表示される。一方、通常表示の選択時には、行先階案内装置５の運転方向表示部８Ｂに、かご位置表示装置に表示するすべての情報、すなわち、乗りかご１の運転方向４ａ及びかご位置４ｂが表示される。したがって、本実施形態によれば、乗客６により登録される行先階の数が多くなる、例えば高層階のビルに設置されるエレベーター装置１００においても、乗客６に対して、きめの細かな情報提供を行うことができる。
【００５１】
［各種変形例］
以上、本発明の一実施形態に係るエレベーター装置１００及びエレベーター装置１００の表示切替制御方法について説明したが、本発明は上記実施形態に限定されず、特許請求の範囲に記載した本発明の要旨を逸脱しない限りその他種々の変形例、応用例を取り得る。例えば、次のような各種変形例も本発明に含まれる。
【００５２】
上記実施形態では、エレベーター制御装置９が故障検出表示切替部１０を有する構成を例示したが、本発明はこれに限定されない。例えば、かご位置表示装置４と同じ伝送路に接続されている行先階案内装置５に故障検出表示切替部１０を設ける構成としてもよい。このように構成した場合にも、上記実施形態における構成と同様に、故障検出表示切替部１０が、かご位置表示装置４の故障の検出と、行先階案内装置５の表示切替制御とを行うことができる。
【００５３】
また、上記実施形態では、かご位置表示装置４が乗りかご１の運転方向４ａ及びかご位置４ｂを表示し、かご位置表示装置４の故障時にこれらの情報の少なくとも一部を行先階案内装置５に表示させる例を挙げたが、本発明はこれに限定されない。例えば、かご位置表示装置４において乗りかご１の運転方向４ａ、かご位置４ｂ以外の情報が表示される場合に、それらの情報を行先階案内装置５に代替表示させてもよい。
【００５４】
ここで、図６を参照して、行先階案内装置５の運転方向表示部８Ｂにおける代替表示の例について説明する。図６は、通常表示選択時における行先階案内装置５の運転方向表示部８Ｂでの代替表示の例を示す説明図である。例えば、図６Ａに示す例では、行先階案内装置５の運転方向表示部８Ｂに、乗りかご１の運転方向４ａ、かご位置４ｂ、及び、「つぎは３階です」の文字４ｃが表示されている。このように、乗りかご１の運転方向４ａ及びかご位置４ｂに加えて、乗りかご１が次に停止する階床の情報を、行先階案内装置５の運転方向表示部８Ｂに代替表示してもよい。
【００５５】
図６Ｂに示す例では、行先階案内装置５の運転方向表示部８Ｂに、乗りかご１の運転方向４ａ、かご位置４ｂ、及び、「地震です  近くの階まで運転します。」のメッセージ４ｄが表示されている。このように、乗りかご１の運転方向４ａ及びかご位置４ｂに加えて、災害時に乗客６に伝えるメッセージを、行先階案内装置５の運転方向表示部８Ｂに代替表示してもよい。
【００５６】
図６Ｃに示す例では、行先階案内装置５の運転方向表示部８Ｂに、乗りかご１の運転方向４ａ、かご位置４ｂ、及び、天気予報情報４ｅが表示されている。このように、乗りかご１の運転方向４ａ及びかご位置４ｂに加えて、天気予報の情報やニュース等を、行先階案内装置５の運転方向表示部８Ｂに代替表示してもよい。
【００５７】
図６Ｄに示す例では、行先階案内装置５の運転方向表示部８Ｂに、乗りかご１の運転方向４ａ、かご位置４ｂ、及び、乗りかご１内の撮影映像４ｆが表示されている。このように、乗りかご１の運転方向４ａ及びかご位置４ｂに加えて、不図示のカメラによって撮影された乗りかご１内の映像を、行先階案内装置５の運転方向表示部８Ｂに代替表示してもよい。
【００５８】
かご位置表示装置４にて表示する情報であれば、図６に示した例以外の情報も、行先階案内装置５の運転方向表示部８Ｂに代替表示してもよい。なお、図６に示した各例において、簡易表示が選択された場合には、乗りかご１の運転方向４ａのみを表示してもよいが、運転方向４ａ及びかご位置４ｂの両方を表示してもよい。
【００５９】
なお、上述した実施形態及び各種変形例は本発明を分かりやすく説明するために装置（エレベーター装置）の構成を詳細且つ具体的に説明したものであり、必ずしも説明した全ての構成を備えるものに限定されるものではない。
【００６０】
また、上述したエレベーター装置の制御に係る各構成、機能、処理部等は、それらの一部又は全部を、例えば集積回路で設計する等によりハードウェアで実現されてもよい。また、上述した制御に係る各構成、機能等は、プロセッサがそれぞれの機能を実現するプログラムを解釈し、実行することにより、すなわちソフトウェアにより実現されてもよい。なお、各機能を実現するプログラム、テーブル、ファイル等の情報（データ）は、メモリや、ハードディスク、ＳＳＤ（Solid State Drive）等の記録装置、又はＩＣカード、ＳＤカード、ＤＶＤ等の記録媒体に格納することができる。
【符号の説明】
【００６１】
１…乗りかご、２…かご戸、２Ｌ，２Ｒ…側板、３…行先階登録装置、４…位置表示装置、５…行先階案内装置、７Ａ，７Ｂ…行先階表示部、８Ａ，８Ｂ…運転方向表示部、９…エレベーター制御装置、１０…故障検出表示切替部、１２…かご制御部、１００…エレベーター装置
【図１】
2019001620.tif 000003
【図２】
2019001620.tif 000004
【図３】
2019001620.tif 000005
【図４】
2019001620.tif 000006
【図５】
2019001620.tif 000007
【図６】
2019001620.tif 000008
【図７】
2019001620.tif 000009